(57)【要約】【課題】  作業性の低下を招くことなく安価な構成により研磨ベルトの横移動を制限することにより、ボディの破損や研磨ベルトの断裂の防止を図ることが可能なベルトサンダを提供することである。【解決手段】  電動機と、電動機の回転力を動力源として回転運動するドライブプーリー２と、ドライブプーリー２の回転力により回転するベルト１と、ベルト１を介してドライブプーリー２の回転力が伝えられるアイドルプーリー３と、を備えた携帯用ベルト研磨機において、ドライブプーリー２またはアイドルプーリー３の一端に、ベルト１がドライブプーリー２又はアイドルプーリー３の回転方向と直交する方向に移動することを防止するストッパ２ａ、３ａを設ける。【選択図】  図６
2008142793.tif 000002
【特許請求の範囲】
【請求項１】
電動機と、
該電動機の回転力を動力源として回転運動するドライブプーリーと、
該ドライブプーリーの回転力により回転するベルトと、
該ベルトを介して該ドライブプーリーの回転力が伝えられるアイドルプーリーと、
を備えた携帯用ベルト研磨機において、
該ドライブプーリーまたは該アイドルプーリーの一端に、該ベルトが該ドライブプーリー又は該アイドルプーリーの回転方向と直交する方向に移動することを防止するストッパを設けたことを特徴とする携帯用ベルト研磨機。
【請求項２】
該ドライブプーリー及び該アイドルプーリーの片方の側面はボディ部で覆われ、該ストッパは該ボディ部を有する側に設けられたことを特徴とする請求項１記載の携帯用ベルト研磨機
【請求項３】
該ストッパはフランジ形状であることを特徴とする請求項１又は請求項２のいずれか１に記載の携帯用ベルト研磨機。
【発明の詳細な説明】
【技術分野】
【０００１】
本発明は、研磨ベルトの横移動防止機構を備えた携帯用ベルト研磨機に関するものである。以下では携帯用ベルト研磨機の一例としてベルトサンダについて説明する。
【背景技術】
【０００２】
従来のベルトサンダを図１及び図２を用いて説明する。ベルトサンダは図1に示すように電動機の回転力を動力源として回転運動するドライブプーリー２と、ドライブプーリー２の回転力により回転する帯状の研磨ベルト１と、ドライブプーリー２の回転軸に平行に設けられ、研磨ベルト１を介してドライブプーリー２の回転力が伝えられるアイドルプーリー３が設けられている。
【０００３】
ベルトサンダを用いての作業においては、作業者が研磨ベルト１を相手材に押圧することにより相手材の研磨作業を行う。
【０００４】
なお、研磨ベルト１をドライブプーリー２及びアイドルプーリー３に装着する前の状態では、ガイド板１１がドライブプーリー２及びアイドルプーリー３の下端よりも上方に位置している。研磨ベルト１をドライブプーリー２及びアイドルプーリー３に装着した後にレバー５を操作することによりガイド版１２がドライブプーリー２及びアイドルプーリー３の下端よりも下方に移動し、研磨ベルト１に張力が作用して研磨ベルト１が保持される。
【０００５】
【特許文献１】実開昭６３−６４４６３号
【発明の開示】
【発明が解決しようとする課題】
【０００６】
ベルトサンダを用いての作業においては、作業者が研磨ベルト１を相手材に押圧することにより相手材の研磨作業を行うが、研磨作業中に研磨ベルト１と相手材とが接触
することにより研磨ベルト１に力が加わる。この力により、回転する研磨ベルト１が、ドライブプーリー２及びアイドルプーリー３上をドライブプーリー２及びアイドルプーリー３の回転方向に対し横移動することがあった。研磨ベルト１がボディ４の側面部４ａに接触するまで横移動し、ボディ４の側面部４ａの破損や研磨ベルト１の断裂する原因となっていた。
【０００７】
このような、問題を解決するために、実開昭６３−６４４６３号においては、従動プーリーの軸の傾きを変えることにより研磨ベルトの横ズレを防止する調整装置を備えている。この調整装置は、従動プーリーの固定軸に形成されたネジに調整ナットを嵌合し、これによって従動プーリーを支持する支持枠を左右に揺動させて、横ズレを調整するものである。
【０００８】
しかし、実開昭６３−６４４６３号においては、研磨ベルトを交換した場合等に、再度調整する必要があり作業性が低下してしまう。
【０００９】
また、ベルトサンダ本体とは別に、調整装置を別途設ける必要があるため、ベルトサンダ本体の価格が高価となってしまう。
【００１０】
本発明の目的は、上記問題点を解決し、作業性の低下を招くことなく安価な構成により研磨ベルトの横移動を制限することにより、ボディの破損や研磨ベルトの断裂の防止を図ることが可能なベルトサンダを提供することである。
【課題を解決するための手段】
【００１１】
上記目的は電動機と、電動機の回転力を動力源として回転運動するドライブプーリーと、ドライブプーリーの回転力により回転するベルトと、ベルトを介して該ドライブプーリーの回転力が伝えられるアイドルプーリーと、を備えた携帯用ベルト研磨機において、
ドライブプーリーまたはアイドルプーリーの一端に、ベルトがドライブプーリー又はアイドルプーリーの回転方向と直交する方向に移動することを防止するストッパを設けたことにより達成される。
【発明の効果】
【００１２】
請求項１記載の発明によれば、作業性の低下を招くことなく、安価な構成により、研磨ベルトの横移動を制限することができる。そのため、研磨ベルトがボディと接触することを防止することができ、ボディの破損や研磨ベルトの断裂の防止を図ることが可能なベルトサンダを提供することができる。
【００１３】
請求項２記載の発明によれば、研磨ベルトの交換時にも作業性の低下を招くことのないベルトサンダを提供することができる。
【００１４】
請求項３記載の発明によれば、コンパクトで作業性の優れたベルトサンダを提供することができる。
【発明を実施するための最良の形態】
【００１５】
本発明に係るベルトサンダを図３乃至図７を用いて説明する。なお、従来のベルトサンダとの変更点以外は従来技術の図１及び図２と同様の符号を用いて説明する。
【００１６】
ベルトサンダは図1のように電動機の回転力を動力源として回転運動するドライブプーリー２と、ドライブプーリー２の回転力により回転する帯状の研磨ベルト１と、ドライブプーリー２の回転軸に平行に設けられ、研磨ベルト１を介してドライブプーリー２の回転力が伝えられるアイドルプーリー３が設けられている。
【００１７】
なお、研磨ベルト１をドライブプーリー２及びアイドルプーリー３に装着する前は、ガイド板１１がドライブプーリー２及びアイドルプーリー３の下端よりも上方に位置している。研磨ベルト１をドライブプーリー２及びアイドルプーリー３に装着した後にレバー５を操作することによりガイド版１２がドライブプーリー２及びアイドルプーリー３の下端よりも下方に移動し、研磨ベルト１に張力が作用して研磨ベルト１が保持される。
【００１８】
また、図６に示すようにアイドルプーリー２の周りにはゴムからなる軟質材１０が形成される。この軟質材１０がすべり止め材となり軟質材１０とアイドルプーリー２の間に摩擦力が働くことで研磨ベルト１が回転する。なお、この軟質材１０はドライブプーリー２のみではなく、ドライブプーリー２とアイドルプーリー３の両方に設けても良い。
【００１９】
ベルトサンダを用いての作業においては、作業者が研磨ベルト１を相手材に押圧することにより相手材の研磨作業を行う。
【００２０】
上記構成において、ベルトサンダに研磨ベルト１を装着し、研磨作業を行った場合について説明する。作業者が研磨ベルト１を相手材に押圧すると、研磨ベルト１と相手材との接触による力が研磨ベルト１に加わる。この力により、研磨ベルト１がドライブプーリー２又はアイドルプーリー３の回転方向と直交する方向（ボディ４の側面部４ａ方向）へ横移動をする。しかし、図４に示すように、段差６を有し、ドライブプーリー２又はアイドルプーリー３の外径８よりも大きい外径９のストッパ２ａ又は３ａがドライブプーリー２、アイドルプーリー３に設けられている。そのため、研磨ベルト１が横移動しても、ストッパ２ａ、３ａの制止面７に接触することで、研磨ベルト１がこれ以上図５の矢印方向（ボディ４の側面部４ａ方向）へ横移動することを防止することができる。従って、研磨ベルト１とボディ４の側面部４ａとが接触することを防止することができる。研磨ベルト１と制止面７が接触するが、研磨ベルト１と制止面７の相対速度は、研磨ベルト１とボディ側面部４ａとの相対速度に比べて極めて小さい。そのため、研磨ベルト１が制止面７によって損傷を受けることはない。
【００２１】
また、ストッパ２ａ、３ａの外形は、ガイド板１１がドライブプーリー２及びアイドルプーリー３の下端よりも下方にある状態において、ガイド板１１の底面よりも下方にはみ出ない寸法に設定する。このようにすれば、ストッパ２ａ、３ａが相手材を傷つけることはない。
【００２２】
また、作業者の安全を確保するために、ドライブプーリー２及びアイドルプーリー３の片方の側面は図１及び図３に示すようにボディ４の側面部４ａで覆われている。従って、研磨ベルト１を交換する時には、ドライブプーリー２及びアイドルプーリー３の側面の覆われているボディ４の側面部４ａとは反対側（図６、７の下側）から交換作業を行うことになる。そのため、ストッパ２ａ、３ａはボディ４の側面部４ａがある側（図６、７の上側）のドライブプーリー２及びアイドルプーリー３の端部に設けられる。よって、研磨ベルト１を交換する時にもストッパ２ａ、３ａが邪魔になり作業性が低下することはない。
【００２３】
なお、図３、図６、図７に示すように、ドライブプーリー２及びアイドルプーリー３と一体にストッパ２ａ、３ａを形成したので、作業者が何も調整しなくても自動的に研磨ベルト１の横移動を防止することができる。そのため、作業性の低下を招くことがないため、作業性の優れたベルトサンダを提供することができる。
【００２４】
また、ストッパ２ａ、３ａの形状をフランジ形状としたので、ドライブプーリー及びアイドルプーリーが必要以上に大きくなることがないため、コンパクトで作業性に優れたベルトサンダを提供することができる。
【００２５】
また、ドライブプーリー２及びアイドルプーリー３は型成型により製造される。そのため、型を変更するだけで簡単にドライブプーリー２及びアイドルプーリー３の形を変更可能である。従って、安価にドライブプーリー２及びアイドルプーリー３と一体にストッパを設けることができる。そのため、安価に研磨ベルト１の横移動を防止することが可能なベルトサンダを提供することができる。
【００２６】
なお、ストッパ２ａ、３ａはドライブプーリー２及びアイドルプーリー３のどちらか一方のみに設けても良いが、ドライブプーリー２及びアイドルプーリー３の両方に設けることでより確実に研磨ベルト１の横移動を防止することができる。
【図面の簡単な説明】
【００２７】
【図１】従来のベルトサンダの全体図。
【図２】従来のドライブプーリーおよびアイドルプーリーの部分図。
【図３】本発明によるドライブプーリーおよびアイドルプーリーの部分図。
【図４】本発明によるドライブプーリーおよびアイドルプーリーの部分図
【図５】本発明によるドライブプーリーおよびアイドルプーリーの状況説明図。
【図６】本発明によるドライブプーリーの状況説明図。
【図７】本発明によるアイドルプーリーの状況説明図。
【符号の説明】
【００２８】
１…研磨ベルト、２…ドライブプーリー、２ａ、３ａ…ストッパ、３…アイドルプーリ、４…ボディ、４ａ…ボディ側面部、５…レバー、６…ストッパ段差、７…ストッパ制止面、８…ドライブプーリー又はアイドルプーリー外径、９…ストッパ外径、１０…軟質材、１１…ガイド板
【図１】
2008142793.tif 000003
【図２】
2008142793.tif 000004
【図３】
2008142793.tif 000005
【図４】
2008142793.tif 000006
【図５】
2008142793.tif 000007
【図６】
2008142793.tif 000008
【図７】
2008142793.tif 000009